(57)【要約】  追加部品を必要とすることなく低コストの媒体検出装置を提供する。  紙幣（２８）の搬送路を挟んで反射型フォトセンサ（１７）のある側とは反対側に設置される媒体ガイド（１１）と一体に反射板（１１ａ）を形成し、紙幣（２８）が存在しないときに反射型フォトセンサ（１７）の発光部から出射された光を反射させて反射型フォトセンサ（１７）へ向かわせないようにした。これにより、反射型フォトセンサ（１７）は、媒体が存在しないときに、媒体ガイド（１１）からの反射光で媒体ガイド（１１）を誤検出することがなくなる。反射板（１１ａ）は、媒体ガイド（１１）と一体に形成したので、部品の追加や追加の組み立てが不要であり、低コストの媒体検出装置を実現することができる。
2013111283.tif 000002
【特許請求の範囲】
【請求項１】
紙葉類の媒体を検出する媒体検出装置において、
発光部および受光部が検出しようとする前記媒体に向かって配置された反射型フォトセンサと、
前記媒体を挟んで前記反射型フォトセンサの反対側に配置される媒体ガイドに形成されて前記発光部からの光を前記受光部へ戻さない方向に反射させる反射部と、
を備えていることを特徴とする媒体検出装置。
【請求項２】
前記反射部は、前記媒体ガイドの前記反射型フォトセンサに対向する部分を前記反射型フォトセンサの設置されている側とは反対側へ所定角度まで切り起こしたような形状に形成されていることを特徴とする請求の範囲第１項記載の媒体検出装置。
【請求項３】
前記反射部は、前記反射型フォトセンサから出射された光を受けて反射させる面が鏡面処理されていることを特徴とする請求の範囲第２項記載の媒体検出装置。
【請求項４】
前記反射部は、前記反射型フォトセンサから出射された光を受けて反射させる面がシボ加工されていることを特徴とする請求の範囲第２項記載の媒体検出装置。
【請求項５】
前記反射部は、前記反射型フォトセンサに対向する前記媒体ガイドの表面に複数のＶ溝を密接して配置したような形状に形成されていることを特徴とする請求の範囲第１項記載の媒体検出装置。
【請求項６】
紙葉類の媒体を搬送する媒体搬送装置において、
搬送される前記媒体の両面側に配置されて前記媒体の搬送路を形成する第１および第２の媒体ガイドと、
前記第１の媒体ガイドに配置され、発光部および受光部が前記第２の媒体ガイドに向かって配置された反射型フォトセンサと、
前記第２の媒体ガイドと一体に形成されて前記発光部からの光を前記受光部へ戻さない方向に反射させる反射部と、
を備えていることを特徴とする媒体搬送装置。
【発明の詳細な説明】
【技術分野】
【０００１】
本発明は媒体検出装置および媒体搬送装置に関し、特に紙幣のような紙葉類の媒体を搬送または保留する箇所に設けられて媒体の通過または有無を検出する媒体検出装置およびそのような媒体検出装置を備えた媒体搬送装置に関する。
【背景技術】
【０００２】
金融機関の現金自動預け払い機などでは、紙幣をはじめとする媒体の検出には、一般に分離型フォトセンサ（フォトインタラプタ）が使われている。この分離型フォトセンサは、独立したパッケージに収容された発光素子と受光素子とを備え、発光素子が出射した光を受光素子が直接またはプリズムを介して間接的に受光するように配置して使用される。一般に、分離型フォトセンサの発光素子および受光素子は、媒体が通過する通路または保留される空間を挟んで対向設置され、通過または保留される媒体が発光素子からの光を遮断し、受光素子が受光できなくなることで媒体の存在を検出している。【０００３】
このような分離型フォトセンサは、紙媒体を検出するセンサとしては優れているが、近年各国で導入され始めたポリマー紙幣（プラスチック紙幣）の検出に使用できない場合がある。つまり、ポリマー紙幣は、偽造防止用の光学的可変デバイスを入れる部分を有しており、そのような部分は、印刷をしないために透明部分になっている。そのため、その透明な部分は、発光素子から発光された光を遮光せずに透過させてしまうので、分離型フォトセンサでは、ポリマー紙幣を検知することができず、媒体搬送装置の誤動作に繋がることになる。【０００４】
これに対し、透明な媒体の検出にも有効なセンサとして反射型フォトセンサが知られている。反射型フォトセンサは、発光素子および受光素子が同じ方向に向かって配置されていて、発光素子の発光した光が媒体に当り、その媒体を反射した光が受光素子で受光されることで媒体を検出している。この反射型フォトセンサは、一般に検知距離が短いので、センサとの距離が短い位置にある媒体の検出に利用されている。【０００５】
ところが、紙幣を束で搬送するような装置では、検知距離が長く、検知エリアの広い反射型フォトセンサを使用する必要がある。このような反射型フォトセンサは、検知エリア内に媒体が存在すれば、その媒体を検出することができる。しかし、検知距離が長いために、媒体が存在しないときには、媒体の搬送路を構成する媒体ガイドのうち、搬送路を挟んで反射型フォトセンサの対向位置にある媒体ガイドを反射型フォトセンサが検出してしまうことがある。【０００６】
対向位置にある媒体ガイドを媒体として誤検出しないようにするために、反射型フォトセンサに対向する側の媒体ガイドに反射型フォトセンサ光の反射を防止する光反射防止手段を設けたものが知られている（たとえば、特許文献１参照）。この特許文献１に記載の装置では、反射型フォトセンサに対向する側の媒体ガイドに開口部を設け、その奥に凹形状部分を配置し、その凹形状部分の中に反射型フォトセンサからの出射光の反射を防止する光反射防止手段を設けている。光反射防止手段としては、光反射率の低い黒色シート、またはセンサ光の波長を吸収する色素または吸収剤を混入した塗料としている。これにより、媒体がないときに、反射型フォトセンサからの出射光が光反射防止手段によって吸収または拡散され、誤動作の発生をなくすことができるようにしている。
【先行技術文献】
【特許文献】
【０００７】
【特許文献１】特開２００６−３０６６０９号公報
【発明の概要】
【発明が解決しようとする課題】
【０００８】
しかしながら、従来の媒体検出装置では、搬送路を構成する媒体ガイドの外側に凹形状部分を設け、その凹形状部分の中に光反射防止手段を設けているので、凹形状部分および光反射防止手段が別部品となるためコストが高くなるという問題点があった。また、搬送路を構成する媒体ガイドの外側は、各種機構が配置されていることもあって、必ずしも、凹形状部分を設置するようなスペースを確保できない場合もある。【０００９】
本発明はこのような点に鑑みてなされたものであり、追加部品を必要とすることなく低コストの媒体検出装置および媒体搬送装置を提供することを目的とする。
【課題を解決するための手段】
【００１０】
本発明では上記の課題を解決するために、紙葉類の媒体を検出する媒体検出装置において、発光部および受光部が検出しようとする前記媒体に向かって配置された反射型フォトセンサと、前記媒体を挟んで前記反射型フォトセンサの反対側に配置される媒体ガイドに形成されて前記発光部からの光を前記受光部へ戻さない方向に反射させる反射部と、を備えていることを特徴とする媒体検出装置が提供される。【００１１】
また、本発明では、紙葉類の媒体を搬送する媒体搬送装置において、搬送される前記媒体の両面側に配置されて前記媒体の搬送路を形成する第１および第２の媒体ガイドと、前記第１の媒体ガイドに配置され、発光部および受光部が前記第２の媒体ガイドに向かって配置された反射型フォトセンサと、前記第２の媒体ガイドと一体に形成されて前記発光部からの光を前記受光部へ戻さない方向に反射させる反射部と、を備えていることを特徴とする媒体搬送装置が提供される。【００１２】
このような媒体検出装置および媒体搬送装置によれば、反射型フォトセンサに対向配置される媒体ガイドに反射部を形成して発光部から出射された光を受光部へ戻さない方向に反射させる構成にしている。反射部を媒体ガイドに形成したことによって、反射型フォトセンサが対向配置の媒体ガイドを検出しない低コストの媒体検出装置および媒体搬送装置を構成することができる。
【発明の効果】
【００１３】
上記構成の媒体検出装置および媒体搬送装置は、反射型フォトセンサの発光部からの光を受光部へ戻さない方向に反射させる反射部を媒体ガイドと一体に形成したことにより、追加部品を必要とすることなく媒体ガイドの検出を抑制できるという利点がある。【００１４】
また、近年各国で導入され始めたポリマー紙幣（プラスチック紙幣）の様な、紙幣の一部に透明な部分があっても、従来通りに紙幣を検知することができるという効果を奏する。【００１５】
本発明の上記および他の目的、特徴および利点は本発明の例として好ましい実施の形態を表す添付の図面と関連した以下の説明により明らかになるであろう。
【図面の簡単な説明】
【００１６】
【図１】現金自動預け払い機の紙幣処理部に関する内部構成の例を示す図である。
【図２】第１の実施の形態に係る媒体検出装置を備えた媒体搬送装置の外観を示す斜視図である。
【図３】第１の媒体検出装置に関連する部分を示した媒体搬送装置の側面説明図である。
【図４】第２の媒体検出装置に関連する部分を示した媒体搬送装置の側面説明図である。
【図５】媒体検出装置の動作原理を示す説明図であって、（Ａ）は媒体検出状態を示し、（Ｂ）は媒体非検出状態を示す図である。
【図６】反射板を含む媒体ガイドの形状を決める方法を説明する図であって、（Ａ）は反射型フォトセンサの発光照射範囲を示し、（Ｂ）は反射板による反射光拡散範囲を示し、（Ｃ）および（Ｄ）は媒体ガイドの反射光拡散範囲を示している。
【図７】第２の実施の形態に係る媒体検出装置の反射板を示す説明図である。
【発明を実施するための形態】
【００１７】
以下、本発明の実施の形態について、現金自動預け払い機の中で、特に、束搬送されてきた紙幣を受け入れて１枚ずつ分離して繰り出すような媒体搬送装置に適用した場合を例に図面を参照して詳細に説明する。
【００１８】
図１は現金自動預け払い機の紙幣処理部に関する内部構成の例を示す図である。
現金自動預け払い機は、その上部に、紙幣の入金および出金を行う紙幣投入取出部１と、紙幣の金種や真贋を判別する鑑別部２と、たとえば取引が成立するまで鑑別した入金紙幣を保留しておく一時保留部３とを備えている。現金自動預け払い機は、また、再使用に適さないと鑑別された不良紙幣を収納するリジェクト部４と、紙幣を収納する収納庫５，６，７，８，９とを備えている。収納庫５，６，７は、主として入出金時に取り扱われる紙幣を収納するのに使用される。一方、収納庫８，９は、収納庫５，６，７の紙幣が不足してきたときに補充する紙幣を収納し、収納庫５，６，７が満杯になったときの入金紙幣を収納するのに使用される。
【００１９】
紙幣投入取出部１、鑑別部２、一時保留部３、リジェクト部４、および収納庫５，６，７，８，９は、それぞれ搬送路によって相互に連結されている。その搬送路の要所には、紙幣の通過を検出する媒体検出装置１０が複数配置されている。また、紙幣投入取出部１においても、紙幣の有無を検出する媒体検出装置１０ａが配置されている。
【００２０】
以下では、紙幣投入取出部１から鑑別部２へ向かう搬送路の中で、紙幣投入取出部１の直近に配置されている図示しない媒体搬送装置に２つの媒体検出装置が適用された場合について説明する。なお、搬送路に設置されている通過媒体検出用の媒体検出装置１０や紙幣投入取出部１に設置されている媒体検出装置１０ａは、紙幣投入取出部１の直近に配置した媒体搬送装置に適用の媒体検出装置と基本構成は同じであるので、詳細な説明は省略する。
【００２１】
図２は第１の実施の形態に係る媒体検出装置を備えた媒体搬送装置の外観を示す斜視図、図３は第１の媒体検出装置に関連する部分を示した媒体搬送装置の側面説明図、図４は第２の媒体検出装置に関連する部分を示した媒体搬送装置の側面説明図である。
【００２２】
媒体搬送装置は、上部に固定の媒体ガイド１１を有し、下部には、媒体入口側に固定の媒体ガイド１２と媒体出口側に可動の媒体ガイド１３とを有し、これら媒体ガイド１１，１２，１３によって紙幣媒体の搬送路を構成している。媒体ガイド１１の上部には、媒体入口側に搬送ベルトユニット１４が設置され、媒体出口側に搬送ローラユニット１５が設置されている。媒体ガイド１２の下部には、媒体ガイド１３の媒体入口側端部が連結された回動軸１６が設置され、この回動軸１６を中心に媒体ガイド１３を回動させて媒体出口側の搬送路の高さを調節できるようにしている。媒体ガイド１３の下部には、反射型フォトセンサ１７，１８が設置されている。反射型フォトセンサ１７，１８は、たとえば、発光部および受光部を有し、同一パッケージに収容されている。なお、本実施の形態では、同一パッケージに収納されている反射型フォトセンサで説明するが、これに限らず、発光部および受光部が別々になった反射型フォトセンサであってもよい。これら反射型フォトセンサ１７，１８は、それぞれ発光部および受光部が媒体ガイド１１に向けられ、搬送路の幅方向および搬送路の搬送方向にそれぞれ離間して設置されている。媒体ガイド１１は、媒体入口側の反射型フォトセンサ１７と対向する位置に反射部とする反射板１１ａを有し、媒体出口側の反射型フォトセンサ１８と対向する位置に反射部とする反射板１１ｂを有している。反射板１１ａ，１１ｂは、それぞれ、媒体ガイド１１の反射型フォトセンサ１７，１８に対向する部分を搬送路の外側へ所定角度まで切り起こしたような形状に形成されている。ここで、媒体入口側の反射型フォトセンサ１７および反射板１１ａは、第１の媒体検出装置を構成し、媒体出口側の反射型フォトセンサ１８および反射板１１ｂは、第２の媒体検出装置を構成している。
【００２３】
媒体入口側に設置された搬送ベルトユニット１４は、一端に駆動伝達ギヤ１９が固定された回転軸２０を有し、その回転軸２０には、フレーム２１が回動自在に取り付けられている。フレーム２１内には、回転軸２０に取り付けられた図示しないプーリとフレーム２１の媒体入口側に取り付けられた図示しないプーリとに掛け渡された搬送ベルト２２が備えられている。搬送ベルト２２は、フレーム２１が回転軸２０を中心に回動して媒体入口側が上がったとき、搬送路内に垂れ下がっており（図３および図４の２２ａ）、媒体入口側が下がったときには、媒体ガイド１３に接触する位置まで垂れ下がるようになっている（図３および図４の２２ｂ）。ここで、第１の媒体検出装置を構成する媒体ガイド１１の反射板１１ａは、図３に示したように、フレーム２１が回転軸２０を中心に回動しても搬送ベルトユニット１４の他の構成と干渉することがないスペースに形成されている。
【００２４】
媒体出口側に設置された搬送ローラユニット１５は、一端に駆動伝達プーリ２３が固定された回転軸２４を有し、その回転軸２４には、フレーム２５が回動自在に取り付けられている。回転軸２４には、搬送ローラ２６が取り付けられ、フレーム２５にも搬送ローラ２７が取り付けられている。この搬送ローラ２７は、フレーム２５が回転軸２４を中心に回動して媒体入口側が上がったとき、搬送路から待避した位置にあり、媒体入口側が下がったときには、搬送路内に侵入した位置にある。ここで、第２の媒体検出装置を構成する媒体ガイド１１の反射板１１ｂは、図４に示したように、フレーム２５が回転軸２４を中心に回動しても搬送ローラユニット１５の他の構成と干渉することがないスペースに形成されている。
【００２５】
以上の構成の媒体搬送装置において、たとえば複数枚の紙幣が重なった束状態で紙幣搬送方向に沿って搬送路に搬送されてきたとする。その紙幣が媒体入口側の反射型フォトセンサ１７によって検出されると、搬送ベルト２２が紙幣搬送方向に回転駆動されるとともに下方へ下げられる。これにより、紙幣は、搬送ベルト２２によって搬送力が与えられ、先に送られる。その紙幣が媒体出口側の反射型フォトセンサ１８によって検出されると、搬送ローラ２６，２７が紙幣搬送方向に回転駆動されるとともに搬送ローラ２７が下げられ、同時に、媒体ガイド１３が搬送路を狭める方向に駆動され、搬送ベルト２２の回転が停止される。これにより、紙幣は、搬送ローラ２７と媒体ガイド１３とによって挟まれ、搬送ローラ２７によって最上位の紙幣が１枚ずつ分離して繰り出され、さらに、搬送ローラ２６により繰り出されて次の搬送路に受け渡される。
【００２６】
図５は媒体検出装置の動作原理を示す説明図であって、（Ａ）は媒体検出状態を示し、（Ｂ）は媒体非検出状態を示す図である。ここでは、第１の媒体検出装置の動作原理について説明するが、第２の媒体検出装置を含め他の媒体検出装置も同じである。
【００２７】
媒体検出装置は、反射型フォトセンサ１７と紙幣２８の搬送路を挟んで対向配置されている媒体ガイド１１と一体に形成された反射板１１ａとを備えている。反射板１１ａは、反射型フォトセンサ１７から出射された光を受けて反射させる面が鏡面処理されている。すなわち、反射板１１ａの反射面は、媒体ガイド１１がたとえば金属板の場合、鏡面研磨するなどして鏡面仕上げされ、媒体ガイド１１が樹脂の場合には、金属蒸着などにより鏡面仕上げされる。また、反射板１１ａの反射面は、シボ加工を適用して反射型フォトセンサ１７から出射された光を乱反射させるようにしてもよい。
【００２８】
この媒体検出装置は、図５の（Ａ）に示したように、紙幣２８が搬送路を通過しているとき、反射型フォトセンサ１７の発光素子から出射された光が紙幣２８に当り、紙幣２８で反射した光が受光素子によって受光される。反射型フォトセンサ１７は、受光素子が反射光を受光することによって、紙幣２８の存在を検出する。
【００２９】
また、図５の（Ｂ）に示したように、反射型フォトセンサ１７と媒体ガイド１１との間に紙幣２８が存在しないとき、反射型フォトセンサ１７の発光素子から出射された光は、反射板１１ａまで進み、この反射板１１ａで反射される。反射板１１ａで反射した光は、媒体ガイド１１に対する反射板１１ａの角度に応じた方向に向けられ、反射型フォトセンサ１７に戻ることはない。反射型フォトセンサ１７は、受光素子が反射光を受光しないことによって、紙幣２８の非存在を検出する。
【００３０】
媒体検出装置は、媒体ガイド１１の一部を反射板１１ａとして利用しているので、反射板１１ａの機能を別部品の追加によって新たに備える場合に比較して、低コストで構成することができる。また、媒体ガイド１１に対する反射板１１ａの傾斜の角度は、反射板１１ａで反射した光が反射型フォトセンサ１７の受光素子に直接戻らない範囲であれば、０度より大きくて９０度より小さい任意の角度にすることができる。実際には、反射板１１ａの傾斜の角度は、反射型フォトセンサ１７の特性に応じて決められる。
【００３１】
図６は反射板を含む媒体ガイドの形状を決める方法を説明する図であって、（Ａ）は反射型フォトセンサの発光照射範囲を示し、（Ｂ）は反射板による反射光拡散範囲を示し、（Ｃ）および（Ｄ）は媒体ガイドの反射光拡散範囲を示している。
【００３２】
反射板１１ａを含む媒体ガイド１１において、反射板１１ａの先端を位置Ａ、媒体ガイド１１との接続部である反射板１１ａの基端を位置Ｂ、光が通過する開口部を挟んで位置Ｂの反対側の媒体ガイド１１の端部を位置Ｃとする。
【００３３】
反射型フォトセンサ１７の発光素子から出射される光は、一定方向に一直線に進むのではなく、素子やレンズの特性によりある程度広がりをもって進んでいる。ここでは、一例として、反射型フォトセンサ１７の発光素子は、図６の（Ａ）に示したように、その光軸から４５度の広がり特性を有しているものとする。このため、反射型フォトセンサ１７の発光素子は、斜線で示した発光照射範囲３０で光を出射することになる。また、反射型フォトセンサ１７と媒体ガイド１１との距離は、反射型フォトセンサ１７の検知距離の範囲内であるとする。
【００３４】
反射型フォトセンサ１７の発光照射範囲３０のうち、反射板１１ａによって反射される光は、図６の（Ｂ）に斜線で示した反射光拡散範囲３１を進む。また、反射型フォトセンサ１７の発光照射範囲３０のうち、位置Ｂ側の媒体ガイド１１によって反射される光は、図６の（Ｃ）に斜線で示した反射光拡散範囲３２を進む。さらに、反射型フォトセンサ１７の発光照射範囲３０のうち、位置Ｃ側の媒体ガイド１１によって反射される光は、図６の（Ｄ）に斜線で示した反射光拡散範囲３３を進む。
【００３５】
以上の説明によれば、反射板１１ａの傾斜の角度は、図６の（Ｂ）から、反射光拡散範囲３１が反射型フォトセンサ１７の受光素子に差し掛からない範囲に設定すればよいことが分かる。また、媒体ガイド１１の位置Ｂ，Ｃについては、図６の（Ｃ）、（Ｄ）から、発光素子の幅Ｄの外側であればどこでもよいことが分かる。これにより、反射型フォトセンサ１７の発光素子から出射されて反射板１１ａで反射された光は、確実に、受光素子に向かないようにすることができる。
【００３６】
図７は第２の実施の形態に係る媒体検出装置の反射板を示す説明図である。
この第２の実施の形態に係る媒体検出装置は、媒体ガイド１１の外側（図の上側）に反射板１１ａを設置するスペースがない場合に好適な反射部を有している。この反射部は、反射型フォトセンサ１７に対向する媒体ガイド１１の表面１１ｃに複数のＶ溝３５を密接して配置したような断面鋸歯状の形状に形成されている。つまり、反射部は、第１の実施の形態に係る媒体検出装置の微小な反射板１１ａを敷き詰めた形になる。これにより、反射型フォトセンサ１７の発光素子から出射される光は、Ｖ溝３５の内側の面にて反射され、その反射光が搬送路内に拡散していくので、反射光が受光素子に直接到達することはなく、したがって、媒体ガイド１１を誤検出することもない。
【００３７】
この媒体検出装置の反射部を媒体ガイド１１の内側（図の下側）の表面１１ｃに形成したので、媒体ガイド１１が占有するスペースを少なくすることができる。たとえば、第１の実施の形態に係る媒体検出装置では、媒体ガイド１１の外側（図の上側）に高さＨ１のスペースが必要であったが、この第２の実施の形態に係る媒体検出装置では、僅かな高さＨ２のスペースが必要なだけである。しかも、この高さＨ２も、Ｖ溝３５の深さを浅くして微少な形状に形成することで、実質的に０にすることができる。この媒体ガイド１１においても、樹脂成形後に、Ｖ溝３５による反射部の表面に反射率の高い材料によって表面処理するのがよい。
【産業上の利用可能性】
【００３８】
以上の実施の形態では、現金自動預け払い機の中の媒体搬送装置に適用した場合について説明したが、本発明は、紙媒体を扱うプリンタ、複写機、ファクシミリなどで、媒体の通過または有無を検出するような用途にも同じように適用できる。【００３９】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００４０】
１  紙幣投入取出部
２  鑑別部
３  一時保留部
４  リジェクト部
５，６，７，８，９  収納庫
１０，１０ａ  媒体検出装置
１１，１２，１３  媒体ガイド
１１ａ，１１ｂ  反射板
１１ｃ  表面
１４  搬送ベルトユニット
１５  搬送ローラユニット
１６  回動軸
１７，１８  反射型フォトセンサ
１９  駆動伝達ギヤ
２０  回転軸
２１  フレーム
２２  搬送ベルト
２３  駆動伝達プーリ
２４  回転軸
２５  フレーム
２６，２７  搬送ローラ
２８  紙幣
３０  発光照射範囲
３１，３２，３３  反射光拡散範囲
３５  Ｖ溝
【図１】
2013111283.tif 000003
【図２】
2013111283.tif 000004
【図３】
2013111283.tif 000005
【図４】
2013111283.tif 000006
【図５】
2013111283.tif 000007
【図６】
2013111283.tif 000008
【図７】
2013111283.tif 000009
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
紙葉類の媒体を検出する媒体検出装置において、
発光部および受光部が検出しようとする前記媒体に向かって配置された反射型フォトセンサと、
前記媒体を挟んで前記反射型フォトセンサの反対側に配置される媒体ガイドに形成されて前記発光部からの光を前記受光部へ戻さない方向に反射させる反射部と、
を備えていることを特徴とする媒体検出装置。
【請求項２】
前記反射部は、前記媒体ガイドの前記反射型フォトセンサに対向する部分を前記反射型フォトセンサの設置されている側とは反対側へ所定角度まで切り起こしたような形状に形成されていることを特徴とする請求項１記載の媒体検出装置。
【請求項３】
前記反射部は、前記反射型フォトセンサから出射された光を受けて反射させる面が鏡面処理されていることを特徴とする請求項２記載の媒体検出装置。
【請求項４】
前記反射部は、前記反射型フォトセンサから出射された光を受けて反射させる面がシボ加工されていることを特徴とする請求項２記載の媒体検出装置。
【請求項５】
前記反射部は、前記反射型フォトセンサに対向する前記媒体ガイドの表面に複数のＶ溝を密接して配置したような形状に形成されていることを特徴とする請求項１記載の媒体検出装置。
【請求項６】
紙葉類の媒体を搬送する媒体搬送装置において、
搬送される前記媒体の両面側に配置されて前記媒体の搬送路を形成する第１および第２の媒体ガイドと、
前記第１の媒体ガイドに配置され、発光部および受光部が前記第２の媒体ガイドに向かって配置された反射型フォトセンサと、
前記第２の媒体ガイドと一体に形成されて前記発光部からの光を前記受光部へ戻さない方向に反射させる反射部と、
を備えていることを特徴とする媒体搬送装置。
【国際調査報告】
2013111283.tif 000010
2013111283.tif 000011
2013111283.tif 000012
2013111283.tif 000013